(57)【特許請求の範囲】
【請求項１】
軸筒内に、スプリングにより後方に弾発したレフィールの筆記先端を、軸筒の後端部より外方に突出したノック体へのノック操作により、軸筒の先端開口部より突出状態に維持する繰出構造を備えたノック式筆記具において、クリップをノック体に連設するとともに先端部の玉部に係止手段を形成し、軸筒の周側面にクリップがノック体とともに前進可能とするためのクリップの脚辺が摺動する長孔を形成し、長孔の前方のレフィールの筆記先端が軸筒の先端開口部より突出した際のクリップの玉部に対向した軸筒の周側面の位置に、クリップが持ち上がろうとした際に玉部の係止手段を当接させてクリップの持ち上がりを阻止する係止部を形成したことを特徴とするノック式筆記具。
【請求項２】
前記繰出構造が、回転カム、カム溝およびカム棒とからなる回転カム構造であって、カム棒の後端にクリップを付設したノック体を固着し、回転カムとカム棒とを回転カムが回転可能に若干離間可能に連接してなる、請求項１に記載のノック式筆記具。
【発明の詳細な説明】
【０００１】
【産業上の利用分野】
本発明は、ノック体へのノック操作により、軸筒内に収納したレフィールの筆記先端を軸筒の先端開口部より突出状態に維持してなるノック式筆記具において、筆記先端が軸筒の先端開口部から突出した状態では、服等のポケット等に挿せない、いわゆるセイフティ構造を設けたノック式筆記具に関する。
【０００２】
【従来の技術】
従来より、ノック体へのノック操作により、軸筒内に収納したレフィールの筆記先端を軸筒の先端開口部より突出状態に維持してなるノック式筆記具、例えばノック体に設けた係止突起を軸筒内に形成した係止孔に係止することにより、軸筒内に収納したレフィールの筆記先端を軸筒の先端開口部より突出状態に維持し、係止突起を押圧して係止を解除することによりスプリングの後方への弾発力により筆記先端を没入する繰出構造や、いわゆるハートカム溝と呼ばれている環状溝内を該環状溝に遊嵌する係止突起が前後動することによりレフィールの筆記先端を軸筒の先端開口部より出没可能とする繰出構造や、カム棒を前進させることにより回転カムを前進して回転させ、回転カムとカム溝の歯の係合状態によりレフィールの後退を規制することにより、筆記先端を軸筒の先端開口部より出没可能とした繰出構造を備えたノック式筆記具は知られている。
【０００３】
【発明が解決しようとする課題】
こうしたノック式筆記具においては、レフィールの筆記先端を軸筒の先端開口部より突出した状態で服等のポケットに挿すと、レフィール内のインキ、特に水性インキの場合にあっては、筆記先端が布地に触れ、インキがにじみでて服を汚してしまうという問題がある。また、昨今では、ボールペンのインキとして、静的な状態では高い粘度を有しインキに剪断力が加わることにより粘度が低下する剪断減粘性を付与したいわゆるゲルインキが、その性質上から脚光をあび、ボールペンのインキとしてよく用いられるようになったが、前述したような問題があり、キャップ式のボールペンのインキとして用いられているのが現状である。ゲルインキを用いたノック式ボールペンを提供しようとするならば、レフィールの筆記先端を軸筒の先端開口部より突出した状態で服等のポケットに挿せないようなセイフティ構造を持たせる必要がある。
【０００４】
従来より、服等のポケットに挿そうとした時に、レフィールの筆記先端が軸筒の先端開口部より没入するセイフティ構造を設けたノック式筆記具について提案されてはいるが、こうした構造は複雑であったり、ある特定の繰出構造に利用されるものであったりして、安価なノック式筆記具に採用できるものではなかった。
【０００５】
そこで、本発明者達は、安価なノック式筆記具にもセイフティ構造を付加させることができる、構造が簡単で、多くの部品を必要とせずに安価にでき、どのような繰出構造にも採用できるセイフティ構造を得ることを検討した。その結果、セイフティ構造としては、クリップが持ち上がらないような構造が有利であることを知って、本発明に至った。
【０００６】
【課題を解決するための手段】
本発明は、上記目的を達成するために、軸筒内に、スプリングにより後方に弾発したレフィールの筆記先端を、軸筒の後端部より外方に突出したノック体へのノック操作により、軸筒の先端開口部より突出状態に維持する繰出構造を備えたノック式筆記具において、クリップをノック体に連設するとともに先端部の玉部に係止手段を形成し、軸筒の周側面にクリップがノック体とともに前進可能とするためのクリップの脚辺が摺動する長孔を形成し、長孔の前方のレフィールの筆記先端が軸筒の先端開口部より突出した際のクリップの玉部に対向した軸筒の周側面の位置に、クリップが持ち上がろうとした際に玉部の係止手段を当接させてクリップの持ち上がりを阻止する係止部を形成した構造とする。
【０００７】
【発明の実施の形態】
本発明の実施の形態を説明する。本発明のノック式筆記具においては、ノック体へのノック操作により、レフィールの筆記先端を軸筒の先端開口部より出没させる繰出構造は、公知の構造のものでよく、特に限定されるものではない。そうした繰出構造を備えた従来のノック式筆記具において、クリップとノック体とを一体にまたはクリップをノック体に付設して、連動して前後動可能に設ける。クリップの先端の玉部に逆Ｔ字型又はＬ字型形状の、軸筒への接地部側が太幅となる段部や、突起等で構成される係止手段を設ける。
【０００８】
軸筒の周側面に、クリップの脚辺が摺動する軸心方向に沿った長孔を形成する。長孔の前方のレフィールの筆記先端が軸筒の先端開口部より突出した際のクリップの玉部に対向した位置の周側面に、クリップが持ち上がろうとした際に玉部の係止手段が当接してクリップの持ち上がりを阻止する係止部を設ける。クリップの玉部の係止手段を確実に係止部に係止するために、レフィールの筆記先端が軸筒内に没入した際のクリップの玉部に対向した位置から筆記先端が軸筒の先端開口部より出没した際の玉部に対向した位置まで、玉部を係止部に案内するためのガイド溝や孔を長孔の前方に設けてもよいし、または長孔を係止部まで延長してその長孔をガイド孔として設けてもよい。
【０００９】
係止部は、軸筒の周側面に外方へ突出した玉部を収納する収納部を有する箱状で、係止手段が嵌挿してクリップが持ち上がろうとした際に、収納部の上部を係止手段が当接する当接部とする形状とすることもできるし、長孔の前方にガイド孔を形成し、ガイド孔に沿ってクリップが前進することにより玉部の係止手段を軸筒内に潜り込ませ、ガイド孔の幅を狭幅部に形成して係止部としても良い。
【００１０】
【実施例】
本発明の実施例を図面を用いて説明するが、同一部材や同一箇所を示す場合は、同一の符号を付して説明する。
図１〜図３は、本発明における第１の実施例のノック式筆記具１で、軸筒２内に、スプリング３により後方へ付勢されたボールペンチップを筆記先端４としたレフィール５を配設してある。該レフィール５の後端には、公知技術である回転カム６、カム溝７およびカム棒８とからなる、レフィール５の筆記先端４を軸筒２の先端開口部２ａから出没させる繰出構造を配設してある。カム棒８は円筒形状で、先端に回転カム６の突出した後端部６ａを嵌入してある。
【００１１】
先端部に玉部９を設けたクリップ１０はノック体１１に一体に形成してある。ノック体１１は、後端部１１ａを軸筒２の後端開口部２ｂより外方に突出させて、カム棒８の後端に嵌着して一体的に配設してある。前記玉部９の両側面には、図３に示すように、軸筒２への接地部側９ａが太幅となる段状の係止手段１２を設けてある。
【００１２】
回転カム６とカム棒８は、回転カム６に形成した係止突起１３とカム棒８に形成した係止孔１４により、回転カム６とカム棒８とは、互いの鋸歯状の歯（図示せず。）が噛み合いから離間して回転カム６が回転可能に若干離間可能に連接してある。回転カム６とカム棒８を連接したことにより、レフィール５の筆記先端４が軸筒２の先端開口部２ａから突出した状態時に、回転カム６、カム棒８およびノック体１１は連接してあるので、ノック体１１が後退してクリップの玉部の係止手段が係止部より解除されるのを防いでいる。
【００１３】
軸筒２の周側面には、クリップ１０の脚辺１０ａが摺動可能に軸心方向に沿った長孔１５を形成してある。該長孔１５の前方端で、ノック体１１へのノック操作によりレフィール５の筆記先端４が軸筒２の先端開口部２ａより突出した時のクリップ１０の玉部９に対応した位置には、軸筒２の周側面から突出した、玉部９の係止手段１２を内包する収納室１６を有し、クリップが持ち上がろうとした際に係止手段１２に当接してクリップが持ち上がらないようにした当接部１７を有する係止部１８を設けてある。当接部１７には、玉部９を嵌挿して摺動するための案内孔１９を設けてある。
【００１４】
ノック体１１へのノック操作により、回転カム６、カム溝７およびカム棒８で構成される公知の繰出構造が作動し、レフィール５の筆記先端４が軸筒２の先端開口部２ａより突出した状態で維持される。その際クリップ１０もノック体１１に連設してあるので前進し、玉部９の係止手段１２が係止部１８の収納室１６に嵌挿する。クリップ１０が持ち上がろうとすると、前記係止手段１２が係止部１８の当接部１７に当接してクリップ１０が持ち上がらないので、本実施例のノック式筆記具１は服等のポケットに挿せない。
【００１５】
図４〜図６は、本発明における第２の実施例のノック式筆記具５０で、他の繰出構造の場合を示したものである。軸筒５１内に配設された繰出構造以外は、第１の実施例と同様に形成してあり、その繰出構造は、空間室５２を有し、後端部５３ａを軸筒５１の後端開口部５１ｂより外方に突出させたノック体５３と、前記空間室５２内に配設した、外方へ拡開する弾性片５４、５５で構成されたコ字型状の係止体５６とで構成されている。
【００１６】
空間室５２内には、後方に向かうに従って漸次軸心に近づくように内方に突出した係止突起５７を設けてある。係止体５６の一方の弾性片５４の先端には、前記係止突起５７に係止する係止爪５８とボタン用突起５９を設けてあり、係止体５６を、一方の弾性片５４を係止突起５７側にし、前記ボタン用突起５９を軸筒５１の周側面に設けた貫通孔６０より外方へ突出させて、ノック体５３の空間室５２内に配設してある。ノック体５３は軸筒５１に対して摺動可能に配設してあり、係止体５６は軸筒５１に固定してある。
【００１７】
第１の実施例と同様に、ノック体５３には第１の実施例と同様のクリップ１０が連設してあり、軸筒５１には長孔１５と係止部１８を設けてある。
【００１８】
ノック体５３へのノック操作により、ノック体５３およびレフィール５は前進し、係止体５６の係止爪５８にノック体５３の係止突起５７が衝接することにより、レフィール５の筆記先端４が軸筒５１の先端開口部５１ａより突出した状態を維持する。この時、クリップ１０もノック体５３とともに前進し、玉部９の係止手段１２が係止部１８の収納室１６に嵌挿して、第１の実施例の場合と同様にクリップ１０は持ち上がらないので、本実施例のノック式筆記具５０は服等のポケットに挿せない。係止体５６のボタン用突起５９を押圧すると、係止爪５８と係止突起５７との係止が解除され、スプリング３の後方への弾発力によりレフィール５およびノック体５３は元の状態に戻る。
【００１９】
図７〜図８は、本発明における第３の実施例のノック式筆記具８０で、さらに他の繰出構造の場合を示したものである。第２の実施例と同様に軸筒８１内に配設された繰出構造は、レフィール５の後端に当接する当接部８２を有する押棒８３と、該押棒８３の後端を嵌着したノック体８４と、繰出構造において周知技術である略ハート型形状のカム溝８５を有した押棒８３に外設したカム筒８６と、前記カム溝８５に遊嵌する係止突起８７を形成した、カム筒８６に外設した筒体８８とで構成されている。押棒８３の外周にカム筒８６を回動自在に配設し、押棒８３の後端部にノック体８４を固着してある。押棒８３の当接部８２とノック体８４の先端面８４ａにより若干しか前後動しないように設けたカム筒８６の外周には、筒体８８が軸筒８１の内壁面に固着して配設してあり、係止突起８７がカム筒８６のカム溝８５に遊嵌してある。その他の構造は、第１の実施例にノック式筆記具１と同様としてある。
【００２０】
ノック体８４へのノック操作により、周知のように係止突起８７がカム溝８５に沿って移行することによりレフィール４の筆記先端３が軸筒８１の先端開口部８１ａより出没し、前述の実施例の時と同様に、筆記先端が突出状態時はクリップ１０が持ち上がらないので、本実施例のノック式筆記具は服等のポケットに挿せない。
【００２１】
図９〜図１１は、本発明における第４の実施例のノック式筆記具１００で、第１の実施例のノック式筆記具において、クリップ１０の玉部９の係止手段１２が係止する係止部の他の実施例を示すものである。クリップ１０、ノック体１１および繰出構造は、第１の実施例と同様に設けてある。
【００２２】
クリップ１０の脚辺１０ａが摺動可能に軸心方向に沿って設けた長孔１５の前方の、レフィール５の筆記先端３の軸筒２の先端開口部２ａからの没入時から突出時におけるクリップ１０の玉部９に対向した位置の軸筒２の周側面に、クリップ１０の玉部９を遊嵌するガイド孔２０を設けてある。該ガイド孔２０の前方端の、ノック体１１へのノック操作によりレフィール５の筆記先端４が軸筒２の先端開口部２ａより突出した時のクリップ１０の玉部９に対向した位置のガイド孔２０には、狭幅とすることにより構成される係止部２１を設けてある。ノック体１１へのノック操作により、クリップ１０（ノック体１１）が前進し、玉部９の係止手段１２が前記係止部２１の下に嵌挿する。クリップ１０を持ち上げようとした際には、係止部２１に当接してクリップは持ち上がらない。
【００２３】
【発明の効果】
本発明のノック式筆記具は、前述したようにレフィールの筆記先端が軸筒の先端開口部より突出した時は、クリップの玉部の係止手段が軸筒に形成した係止部に嵌挿し、クリップが持ち上がろうとした際に係止部に当接するのでクリップは持ち上がらず、筆記先端を突出した状態で服等のポケットに挿す心配がない。
【００２４】
特定のレフィールの筆記先端を軸筒の先端開口部より繰り出すための繰出構造にのみ採用れるものでなく、多種類の繰出構造のものに採用できる利点がある。また、構造が簡単であり、多数の部品を必要としないので、低価格品にも採用できる利点がある。
【図面の簡単な説明】
【図１】本発明のノック式筆記具の実施例で、レフィールの筆記先端を軸筒の先端開口部から出没させる繰出構造として回転カム方式を採用した場合のもので、レフィールの筆記先端が軸筒内に没入した状態を示した部分縦断面図である。
【図２】その実施例における、レフィールの筆記先端が軸筒の先端開口部より突出した状態を示した部分縦断面図である。
【図３】図２における、Ｉ−Ｉ線部分の切断端面図である。
【図４】本発明のノック式筆記具の他の実施例で、繰出構造がいわゆるノック＆ボタン方式といわれているものを採用した場合のもので、レフィールの筆記先端が軸筒内に没入した状態を示した部分縦断面図である。
【図５】その実施例における、繰出構造部分の要部を断面にした状態の拡大斜視図である。
【図６】その実施例における、レフィールの筆記先端が軸筒の先端開口部より突出した状態を示した部分縦断面図である。
【図７】本発明のノック式筆記具の他の実施例で、繰出構造がいわゆるハートカム溝方式といわれているものを採用した場合のもので、レフィールの筆記先端が軸筒内に没入した状態を示した部分縦断面図である。
【図８】そのノック式筆記具における、カム筒のハートカム溝部分を示した平面図である。
【図９】本発明のノック式筆記具の他の実施例で、係止部における他の実施例を示した、レフィールの筆記先端が軸筒内に没入した状態を示した部分縦断面図である。
【図１０】そのノック式筆記具のノック体および係止部周りの部分の平面図である。
【図１１】図９における、II−II線部分の切断端面図である。
【符号の説明】
１、５０、８０、１００  ノック式筆記具
２、５１、８１    軸筒
３  スプリング
４  筆記先端
５  レフィール
６  回転カム
７  カム溝
８  カム棒
９  玉部
１０  クリップ
１１、５３、８４ノック体
１２  係止手段
１５  長孔
１８、２１  係止部
【図１】
0003707576.tif 000002
【図２】
0003707576.tif 000003
【図３】
0003707576.tif 000004
【図４】
0003707576.tif 000005
【図５】
0003707576.tif 000006
【図６】
0003707576.tif 000007
【図７】
0003707576.tif 000008
【図８】
0003707576.tif 000009
【図９】
0003707576.tif 000010
【図１０】
0003707576.tif 000011
【図１１】
0003707576.tif 000012